(57)【要約】  配線の取外しに伴う作業時間の更なる短縮化を図ることが可能な空気調和機を得ることを目的として、空気調和機は、室内機２と、室外機と、ワイヤードリモコンと、室内機２と室外機との間に接続される室内外配線３と、室内機２とワイヤードリモコンとの間に接続されるワイヤードリモコン配線５と、室内機２に設置される電気品箱２６と、電気品箱２６に設置され、室内外配線３を接続する第１の端子台３３と、電気品箱２６に設置され、ワイヤードリモコン配線５を接続する第２の端子台５３と、一端が第１の端子台３３に接続される第１の中継配線３４と、一端が第２の端子台５３に接続される第２の中継配線５４と、第１の中継配線３４の他端と室内外配線３とを接続する第１のコネクタ３０と、第２の中継配線５４の他端とワイヤードリモコン配線５とを接続する第２のコネクタ５０と、を備える。
2016129079.tif 000002
【特許請求の範囲】
【請求項１】
室内機と、
室外機と、
ワイヤードリモコンと、
前記室内機と前記室外機との間に接続される室内外配線と、
前記室内機と前記ワイヤードリモコンとの間に接続されるワイヤードリモコン配線と、
前記室内機に設置される電気品箱と、
前記電気品箱に設置され、前記室内外配線を接続する第１の端子台と、
前記ワイヤードリモコン配線を接続する第２の端子台と、
一端が前記第１の端子台に接続される第１の中継配線と、
一端が前記第２端子台に接続される第２の中継配線と、
前記第１の中継配線の他端と、前記室内外配線とを接続する第１のコネクタと、
前記第２の中継配線の他端と、前記ワイヤードリモコン配線とを接続する第２のコネクタと、
を備えることを特徴とする空気調和機。
【請求項２】
前記室内機の下方面に組み付けられるドレンパンを備え、
前記電気品箱は、前記ドレンパンに設置され、
前記第１のコネクタおよび前記第２のコネクタは、前記電気品箱の内部に設置されることを特徴とする請求項１に記載の空気調和機。
【請求項３】
前記室内機の下方面に組み付けられるドレンパンを備え、
前記ドレンパンに設置される前記電気品箱は、前記電気品箱の筐体の開口部を閉塞する蓋を有し、
前記第１のコネクタおよび前記第２のコネクタは、前記ドレンパンに形成された配線導入部に設置されることを特徴とする請求項１に記載の空気調和機。
【請求項４】
前記第１のコネクタおよび前記第２のコネクタの各々は、雄コネクタと、前記雄コネクタと接続される雌コネクタと、前記雄コネクタに接続される配線と前記雌コネクタに接続される配線との誤接続防止構造と、を有することを特徴とする請求項１から請求項３の何れか一項に記載の空気調和機。
【請求項５】
前記第１のコネクタおよび前記第２のコネクタの各々は、雄コネクタと、前記雄コネクタと接続される雌コネクタと、前記雄コネクタと前記雌コネクタとが離間する方向への移動を規制する規制部材を有することを特徴とする請求項１から請求項３の何れか一項に記載の空気調和機。
【発明の詳細な説明】
【技術分野】
【０００１】
本発明は、室外機と室内機を備えた空気調和機に関する。
【背景技術】
【０００２】
従来の空気調和機は、室内機と、電力の供給を行う電源配線と信号の伝送を行う信号線とを含む室内外配線を介して室内機に接続される室外機と、信号の伝送を行う信号線であるワイヤードリモコン配線を介して室内機に接続されたワイヤードリモコンとを有する。特許文献１に示される天井埋込形の室内機は、天井に埋込まれて固定される筐体と、筐体内に設置される熱交換器と、筐体内に設置される送風機と、筐体の下方面に組み付けられ、熱交換器で結露したドレン水を受け止めるドレンパンと、ドレンパンの下方面に組み付けられる電気品箱とを有する。電気品箱は、室内機に設けられるファンモータを含む各種電気品を制御する制御回路を含む電子部品が設置される制御基板と、各種配線を行うための複数の端子台とを有する。複数の端子台の各々は、制御基板上に設置され、または電気品箱の筐体に設置されて、電気品箱に導入される配線と制御基板に実装された電子部品とを中継接続する機能を有する。そして従来の室内機では電気品箱に導入される配線が端子台にネジ止めされている。
【先行技術文献】
【特許文献】
【０００３】
【特許文献１】特開２０１１−１０６８０１号公報
【発明の概要】
【発明が解決しようとする課題】
【０００４】
ドレンパンに貯まったドレン水はドレン管の詰まりの原因となるため、天井埋込形の室内機ではドレンパンの定期清掃が必要である。ドレンパンを清掃する場合、電気品箱の蓋が取外され、電気品箱内に導入される配線に接続された雌コネクタを制御基板に繋がる中継配線に接続された雄コネクタから引き抜き、その後、室内機の筐体に電気品箱の筐体を固定している締結部材を外すことで電気品箱がドレンパンから取外される。しかしながら特許文献１の従来の室内機では、電気品箱に導入される複数の配線の各々が電気品箱内の端子台にネジ止めされている。そのため、電気品箱を取外す際、ネジを緩めて複数の配線を取外す作業が必要である。特に天井埋込形室内機では、電気品箱を取外す作業が高所作業であることに加えて、電気品箱の寸法が制約されるため、端子台から配線を取外すための作業時間が長くなるという問題があった。従って特許文献１の従来の室内機では、配線の取外しに伴う作業時間の更なる短縮化を図るというニーズに対応することが難しいという問題があった。【０００５】
本発明は、上記に鑑みてなされたものであって、配線の取外しに伴う作業時間の更なる短縮化を図ることが可能な空気調和機を得ることを目的とする。
【課題を解決するための手段】
【０００６】
上述した課題を解決し、目的を達成するために、本発明に係る空気調和機は、室内機と、室外機と、ワイヤードリモコンと、前記室内機と前記室外機との間に接続される室内外配線と、前記室内機と前記ワイヤードリモコンとの間に接続されるワイヤードリモコン配線と、前記室内機に設置される電気品箱と、前記電気品箱に設置され、前記室内外配線を接続する第１の端子台と、前記ワイヤードリモコン配線を接続する第２の端子台と、一端が前記第１の端子台に接続される第１の中継配線と、一端が前記第２端子台に接続される第２の中継配線と、前記第１の中継配線の他端と、前記室内外配線とを接続する第１のコネクタと、前記第２の中継配線の他端と、前記ワイヤードリモコン配線とを接続する第２のコネクタとを備える。
【発明の効果】
【０００７】
本発明に係る空気調和機は、配線の取外しに伴う作業時間の更なる短縮化を図ることができる、という効果を奏する。
【図面の簡単な説明】
【０００８】
【図１】本発明の実施の形態１に係る空気調和機を模式的に表す図
【図２】本発明の実施の形態１に係る空気調和機において、図１に示す化粧パネルを取外した室内機の筐体を下方から見た斜視図
【図３】本発明の実施の形態１に係る空気調和機において、図１に示す化粧パネルを取外した室内機の分解斜視図
【図４】本発明の実施の形態１に係る空気調和機において、図１に示す化粧パネルを取外した室内機の部分拡大図
【図５】図４に示す蓋を取外した電気品箱の内部を示す図
【図６】図４に示すコネクタの斜視図
【図７】本発明の実施の形態２に係る空気調和機において、化粧パネルを取外した室内機の部分拡大図
【図８】図７に示す蓋を取外した電気品箱の内部を示す図
【図９】本発明の実施の形態３に係る空気調和機に用いられるコネクタの斜視図
【発明を実施するための形態】
【０００９】
以下に、本発明の実施の形態に係る空気調和機を図面に基づいて詳細に説明する。なお、この実施の形態によりこの発明が限定されるものではない。
【００１０】
実施の形態１．
図１は本発明の実施の形態１に係る空気調和機を模式的に表す図である。空気調和機１００は、天井埋込形の室内機２と、室内外配線３を介して室内機２に接続される室外機１と、信号の伝送を行う信号線であるワイヤードリモコン配線５を介して室内機２に接続されたワイヤードリモコン４とを有する。ワイヤードリモコン配線５にはワイヤードリモコン４と室内機２との間で送受信される情報が伝送される。室内外配線３には、室外機１のファンモータおよび圧縮機を駆動するための電力を供給するための電源配線と、室内機２と室外機１との間で信号の伝送を行うための信号線とが含まれる。
【００１１】
室内機２は、金属製の板材を方形状に折り曲げて形成される筐体２１と、筐体２１の下面に取付けられる化粧パネル２２とを有する。筐体２１は図示しない固定ボルトにより天壁に固定される。また筐体２１は、筐体２１の内部中央に設置されるファンモータで駆動する送風機と、筐体２１の内部中央に設置されるベルマウスと、送風機を囲うように設置される熱交換器とを有する。図１では室内機２に設置されるファンモータ、送風機、ベルマウスおよび熱交換器の図示を省略している。
【００１２】
室外機１は、室外機１の外郭筐体である直方体形状の外部パネル１ａと、圧縮機と、熱交換器と、ファンモータで駆動する送風機が設置されている。図１では室外機１の圧縮機、熱交換器、ファンモータおよび送風機の図示を省略している。
【００１３】
図１に示す空気調和機１００では、室内機２の熱交換器と室外機１の圧縮機と室外機１の熱交換器とにより冷凍サイクルが構成される。冷房運転時またはドライ運転時には室内機２の熱交換器が蒸発器として機能し、暖房運転時には室内機２の熱交換器が凝縮器として機能する。
【００１４】
化粧パネル２２は、化粧パネル２２の四隅に嵌め込まれる複数のコーナーパネル２２ａと、化粧パネル２２の中央部に設けられる空気の吸込口２２ｂと、吸込口２２ｂを囲む複数の吹出口２２ｃとを備える。図１の室内機２では４つの吹出口２２ｃが形成されているが、吹出口２２ｃの数は４つに限定されず３つ未満でもよいし５つ以上でもよい。
【００１５】
図２は本発明の実施の形態１に係る空気調和機において、図１に示す化粧パネルを取外した室内機の筐体を下方から見た斜視図である。図２に示す室内機２は、筐体２１の下方面から筐体内に組み付けられ、筐体２１内に設置される熱交換器で結露したドレン水を受け止める発泡スチロール製のドレンパン２４と、ドレンパン２４の下方面に組み付けられる電気品箱２６と、筐体２１の側面に設置されるユニオン継手部２８とを有する。ユニオン継手部２８は、液状冷媒が通流する冷媒配管が接続される液側ユニオン継手部とガス状冷媒が通流する冷媒配管が接続されるガス側ユニオン継手部とを含む。
【００１６】
ドレンパン２４は、化粧パネル２２に形成される複数の吹出口２２ｃの各々と対向する位置に設けられる複数の吹出口２４ａと、ドレンパン２４の中央部に形成される吸込口２４ｂとを有する。ドレンパン２４の吸込口２４ｂは、図１に示す化粧パネル２２の吸込口２２ｂと対向する位置に設けられる。ドレンパン２４の四隅にはドレンパン２４を筐体２１に固定するための締結部材４０が設置される。
【００１７】
電気品箱２６はドレンパン２４の下方面に固定される。電気品箱２６が設置される位置は、ドレンパン２４に形成された複数の吹出口２４ａの内の１つの吹出口２４ａと吸込口２４ｂとの間である。
【００１８】
図３は本発明の実施の形態１に係る空気調和機において、図１に示す化粧パネルを取外した室内機の分解斜視図である。電気品箱２６はその外郭を形成する筐体に鍔部２６ｆを有する。鍔部２６ｆには締結部材４１を挿入するための穴が形成され、電気品箱２６は穴に挿入された締結部材４１を筐体２１にねじ込むことで固定される。ドレンパン２４の四隅には締結部材４０の挿入穴２４ｃが形成され、挿入穴２４ｃには締結部材４０が挿入されている。締結部材４０は筐体２１の図示しない雌ネジ部にねじ込まれ、これによりドレンパン２４は筐体２１に固定されている。
【００１９】
室内機２の筐体２１からドレンパン２４を取外す場合、電気品箱２６に接続される各種の配線を取外した後、電気品箱２６の鍔部２６ｆから締結部材４１を緩めて取外して、電気品箱２６をドレンパン２４から取外す。その後、ドレンパン２４の四隅に挿入された４本の締結部材４０を緩めて取外し、室内機２の筐体２１からドレンパン２４を取外す。
【００２０】
図４は本発明の実施の形態１に係る空気調和機において、図１に示す化粧パネルを取外した室内機の部分拡大図である。図４に示すように電気品箱２６は、電気品箱２６の外郭を形成する金属製の筐体２６ａと、電気品箱２６の筐体２６ａの開口部を閉塞する金属製の蓋２６ｂとを有する。蓋２６ｂは締結部材２６ｃにより筐体２６ａに固定される。ドレンパン２４の底面には、室内外配線３が導入される配線導入部２４ｄ１と、ワイヤードリモコン配線５および電源配線６が導入される配線導入部２４ｄ２とが形成され、配線導入部２４ｄ１および配線導入部２４ｄ２から導入された室内外配線３、ワイヤードリモコン配線５および電源配線６は、電気品箱２６の内部に配線される。
【００２１】
図５は図４に示す蓋を取外した電気品箱の内部を示す図である。筐体２６ａの内部には制御基板２６ｄが設置される。筐体２６ａの内周面の隅部には、筐体２６ａに蓋２６ｂを固定するための鍔部２６ａ１が形成されている。図示例では鍔部２６ａ１が２カ所に設けられ、各々の鍔部２６ａ１には締結部材をねじ込むためのねじ穴が設けられている。筐体２６ａの長手面側の外周面には、室内機２の筐体２１に電気品箱２６を固定するための鍔部２６ｆが形成されている。図示例では鍔部２６ｆが２カ所に設けられ、各々の鍔部２６ｆには締結部材４１をねじ込むためのねじ穴が設けられている。
【００２２】
制御基板２６ｄは、室内機２に設けられるファンモータを含む各種電気品を制御する制御回路２６ｅと、室内外配線３と電気品箱２６に設置される電気品とを中継接続する第１の端子台３３と、ワイヤードリモコン配線５と基板上の電気品とを中継接続する第２の端子台５３と、電源配線６と電気品箱２６に設置される電気品とを中継接続する第３の端子台６３とを有する。制御基板２６ｄには制御回路２６ｅ以外にも種々の電子部品が実装されているものとする。
【００２３】
第１の端子台３３には第１のコネクタ３０を介して室内外配線３と電気的に接続される第１の中継配線３４が接続される。第２の端子台５３には第２のコネクタ５０を介してワイヤードリモコン配線５と電気的に接続される第２の中継配線５４が接続される。第３の端子台６３には第３のコネクタ６０を介して電源配線６と電気的に接続される第３の中継配線６４が接続される。第１の中継配線３４の一端は第１の端子台３３にネジ止めされ、第２の中継配線５４の一端は第２の端子台５３にネジ止めされ、第３の中継配線６４の一端は第３の端子台６３にネジ止めされる。
【００２４】
電源配線６は例えば単相３線２００Ｖ用の配線であるが、電源配線６の種類はこれに限定されず、単相２線１００Ｖ用の配線または３相３線２００Ｖ用の配線でもよい。また第１の端子台３３、第２の端子台５３、および第３の端子台６３の設置場所は基板上に限定されるものではなく電気品箱２６の筐体２６ａに直接固定してもよい。
【００２５】
第１のコネクタ３０は、第１の中継配線３４の他端に接続される第１の雄コネクタ３１と、室内外配線３が接続される第１の雌コネクタ３２とを有する。第２のコネクタ５０は、第２の中継配線５４の他端に接続される第２の雄コネクタ５１と、ワイヤードリモコン配線５が接続される第２の雌コネクタ５２とを有する。第３のコネクタ６０は、第３の中継配線６４の他端に接続される第３の雄コネクタ６１と、電源配線６が接続される第３の雌コネクタ６２とを有する。
【００２６】
図６は図４に示す第２のコネクタの斜視図である。第２の雄コネクタ５１は、第２の中継配線５４に接続される端子を収容する方形状の雄側ハウジング５１ａを有する。雄側ハウジング５１ａの側面の角部には突起５１ａ３が２カ所形成される。各々の突起５１ａ３は、雄側ハウジング５１ａの側面の角部において、雄側ハウジング５１ａの配線導入口側の一端５１ａ１１から雄側ハウジング５１ａの他端５１ａ１２に渡って形成される。
【００２７】
第２の雌コネクタ５２は、ワイヤードリモコン配線５に接続される端子を収容し、雄側ハウジング５１ａが挿入される中空部５２ｂが形成された雌側ハウジング５２ａを有する。雌側ハウジング５２ａの側面の角部には雄側ハウジング５１ａの突起５１ａ３が嵌め合わされる窪み部５２ａ３が２カ所形成される。各々の窪み部５２ａ３は、雌側ハウジング５２ａの側面の角部において、雄側ハウジング５１ａが挿入される開口部側の一端５２ａ１１から雌側ハウジング５２ａの配線導入口側の他端５２ａ１２に渡って形成される。
【００２８】
突起５１ａ３と窪み部５２ａ３は第２の雄コネクタ５１に接続される配線と第２の雌コネクタ５２に接続される配線との誤接続防止構造を成す。
【００２９】
第２の雄コネクタ５１と第２の雌コネクタ５２とを接続する場合、雄側ハウジング５１ａの突起５１ａ３と雌側ハウジング５２ａの窪み部５２ａ３とを対向させた状態で雄側ハウジング５１ａがＺｂ方向に向かって雌側ハウジング５２ａの中空部５２ｂに挿入される。雄側ハウジング５１ａの一端５２ａ１１の縁部が雌側ハウジング５２ａと接し、または雄側ハウジング５１ａの他端５２ａ１２が雌側ハウジング５２ａの底部に到達することにより、第２の雄コネクタ５１と第２の雌コネクタ５２の接続が完了する。第２の雄コネクタ５１をＺａ方向に引き抜くことにより、第２の雄コネクタ５１を第２の雌コネクタ５２から取り外すことができる。
【００３０】
なお図５に示す第１の雄コネクタ３１および第３の雄コネクタ６１は、図６に示す第２の雄コネクタ５１と同様に形成されているものとする。また図５に示す第１の雌コネクタ３２および第３の雌コネクタ６２は図６に示す第２の雌コネクタ５２と同様に形成されているものとする。
【００３１】
次に空気調和機１００の動作を説明する。電源配線６から供給される交流電力は制御基板２６ｄに実装されたコンバータ回路で直流電力に変換され、変換された直流電力はインバータ回路によって所望の周波数の交流電力に変換され、室内機２の送風機へ供給される。送風機のファンモータが回転することにより、化粧パネル２２の吸込口２２ｂから室内空気が吸い込まれ、吸込口２２ｂを通過した室内空気は室内機２内の熱交換器を通過する際に熱交換され、熱交換された空気は吹出口２４ａより室内に吹出される。このとき熱交換器で結露した水はドレン水としてドレンパン２４に集められる。ドレンパン２４を清掃する場合、電気品箱２６の蓋２６ｂが取外され、電気品箱２６内に導入される複数の配線の各々に接続された雌コネクタを、中継配線に接続される雄コネクタから引き抜き、その後に電気品箱２６を固定する締結部材４１を緩めて取外すことにより、電気品箱２６がドレンパン２４から取外される。最後に室内機２の筐体２１にドレンパン２４を固定している締結部材４０を緩めて取外すことにより、ドレンパン２４が室内機２の筐体２１から取外される。
【００３２】
従来の空気調和機では、電気品箱の外部から電気品箱内に導入される複数の配線が電気品箱内の端子台に接続されているため、電気品箱をドレンパンから取外す場合、電気品箱の蓋を取外してから、端子台にネジ止めされている複数の配線を取外す作業が必要になる。特に天井埋込形室内機では構造上の制約により、電気品箱内のスペースが狭いため、従来の空気調和機では、端子台から複数の配線を取外すための作業時間が長くなるという問題があった。一方、取外した電気品箱を室内機に設置する場合、ドレンパンを室内機の筐体に固定し、その後に電気品箱を筐体に固定する。そして電気品箱内に複数の配線を導入して、それらの配線を電気品箱内に設置された端子台にネジ止めする必要がある。従って従来の空気調和機では配線の接続作業時間が長くなるだけでなく、配線を誤接続する可能性があるという問題があった。実施の形態１に係る空気調和機１００では、電気品箱２６内に導入される複数の配線と電気品箱２６の端子台に接続された中継配線とがコネクタで着脱可能である。そのため、電気品箱２６をドレンパン２４から取外す場合、雄コネクタと雌コネクタの接続を解除するだけで複数の配線を制御基板２６ｄから取外すことができ、配線の取外しに伴う作業時間を短縮することができる。また実施の形態１に係る空気調和機１００では、雄コネクタを雌コネクタに接続するだけで電気品箱２６内に導入された複数の配線を電気品箱２６の端子台に接続することができるため、ドレンパン２４の清掃完了後の配線時間を短縮することができる。また空気調和機１００では、コネクタが誤接続防止構造を有するため、ワイヤードリモコン配線５および室内外配線３のように極性のある配線を接続する場合でも異極性同士が誤接続されることを防止できる。
【００３３】
実施の形態２．
図７は本発明の実施の形態２に係る空気調和機において、化粧パネルを取外した室内機の部分拡大図、図８は図７に示す蓋を取外した電気品箱の内部を示す図である。図７には蓋２６ｂを取付けた状態の電気品箱２６が示され、図８には蓋２６ｂを取外した状態の電気品箱２６が示される。実施の形態２では実施の形態１の室内機２の代わりに室内機２Ａが用いられる。また実施の形態２の室内機２Ａでは、第１のコネクタ３０がドレンパン２４の配線導入部２４ｄ１上に設置され、第２のコネクタ５０と第３のコネクタ６０が配線導入部２４ｄ２上に設置される。
【００３４】
実施の形態２の室内機２Ａにおいてドレンパン２４を清掃する場合、ドレンパン２４に設置された複数の雌コネクタと複数の雄コネクタとの接続を解除し、締結部材４１を外すことで電気品箱２６がドレンパン２４から取外され、締結部材４０を外すことでドレンパン２４が室内機２Ａの筐体２１から取外される。このように蓋２６ｂを取外す作業が不要になるため、ドレンパン２４の清掃を始める際の作業時間をより一層短縮することができる。
【００３５】
実施の形態２の室内機２Ａにおいて、電気品箱２６を室内機２Ａに設置する場合、締結部材４０でドレンパン２４を室内機２Ａの筐体２１に固定し、締結部材４１で電気品箱２６を筐体２１に固定する。このとき電気品箱２６は図７に示す蓋２６ｂが取付けられた状態で筐体２１に固定される。電気品箱２６を筐体２１に固定した後、第１のコネクタ３０、第２のコネクタ５０および第３のコネクタ６０を接続することにより電源配線６、ワイヤードリモコン配線５、および室内外配線３の各々が電気品箱２６内の複数の端子台の各々と電気的に接続される。蓋２６ｂを取付ける作業が不要になるため、電気品箱２６を取付ける際の配線作業時間をより一層短縮することができる。
【００３６】
実施の形態３．
図９は本発明の実施の形態３に係る空気調和機に用いられるコネクタの斜視図である。以下、実施の形態１と同一部分には同一符号を付してその説明を省略し、ここでは異なる部分についてのみ述べる。実施の形態３では実施の形態１，２の第２のコネクタ５０の変形例である第２のコネクタ５０Ａの構造を説明するが、第１のコネクタ３０および第３のコネクタ６０も第２のコネクタ５０Ａと同様に構成してもよい。
【００３７】
図９に示す第２のコネクタ５０Ａは第２の雄コネクタ５１Ａと第２の雌コネクタ５２Ａを有する。第２の雄コネクタ５１Ａは、雄側ハウジング５１ａと、雄側ハウジング５１ａの側面に設置されて、第２の雄コネクタ５１Ａと第２の雌コネクタ５２Ａとが離間する方向への移動を規制する規制部材であるクリップ５１ｂとを有する。クリップ５１ｂは、雄側ハウジング５１ａの一端５１ａ１１から雄側ハウジング５１ａの他端５１ａ１２に向けて伸びる板状に形成される。クリップ５１ｂは、一端５１ａ１１に形成される押圧部５１ｂ１と、クリップ５１ｂから雌側ハウジング５２ａに向かって突出し、第２の雌コネクタ５２Ａに形成された窪み部５２ｃに係合する係合部５１ｂ２とを有する。
【００３８】
雄側ハウジング５１ａは、複数の突起５１ａ３と起立部５１ａ４とを有する。起立部５１ａ４は、雄側ハウジング５１ａの長手面側の側面に、雄側ハウジング５１ａの軸線と直行する方向に突出する。起立部５１ａ４の端部にはクリップ５１ｂが設置される。クリップ５１ｂは、起立部５１ａ４を介して雄側ハウジング５１ａと連結する。押圧部５１ｂ１と係合部５１ｂ２は、起立部５１ａ４を支点として、Ｘａ方向またはＸｂ方向に変位する。具体的には、押圧部５１ｂ１が雄側ハウジング５１ａの方向に押されたとき、押圧部５１ｂ１が雄側ハウジング５１ａに接近し、係合部５１ｂ２が雄側ハウジング５１ａから離れるように、クリップ５１ｂは回動する。押圧部５１ｂ１への押圧力がなくなると、起立部５１ａ４の弾性復元力により、押圧部５１ｂ１が雄側ハウジング５１ａから離れ、係合部５１ｂ２が雄側ハウジング５１ａに接近するように、クリップ５１ｂは回動する。
【００３９】
第２の雌コネクタ５２Ａは、雌側ハウジング５２ａと、雌側ハウジング５２ａの側面に形成され、クリップ５１ｂが係合する窪み部５２ｃと、複数の窪み部５２ａ３を有する。
【００４０】
第２の雄コネクタ５１Ａと第２の雌コネクタ５２Ａとを接続する場合、雄側ハウジング５１ａの突起５１ａ３と雌側ハウジング５２ａの窪み部５２ａ３とを対向させた状態で、雄側ハウジング５１ａがＺｂ方向に向かって雌側ハウジング５２ａの中空部５２ｂに挿入される。このとき、クリップ５１ｂの係合部５１ｂ２が雌側ハウジング５２ａの側面に接して、クリップ５１ｂの先端部５１ｂ３がＸａ方向に変移する。このときクリップ５１ｂの係合部５１ｂ２は、起立部５１ａ４の弾性復元力により、雌側ハウジング５２ａ側に付勢されている。そのため、雄側ハウジング５１ａが更にＺｂ方向に押し込まれて、係合部５１ｂ２が窪み部５２ｃの位置に到達したとき、係合部５１ｂ２は起立部５１ａ４の弾性復元力により窪み部５２ｃに係合する。これにより第２の雄コネクタ５１Ａと第２の雌コネクタ５２Ａとの接続が完了する。
【００４１】
第２の雄コネクタ５１Ａを第２の雌コネクタ５２Ａから取外す場合、クリップ５１ｂの押圧部５１ｂ１をＸｂ方向に押し込むことにより、係合部５１ｂ２が窪み部５２ｃから外れる。押圧部５１ｂ１をＸｂ方向に押した状態で第２の雄コネクタ５１ＡをＺａ方向に引き抜くことにより、第２の雄コネクタ５１Ａが第２の雌コネクタ５２Ａから取外される。このように実施の形態３のコネクタによれば、接続完了後のコネクタ抜けを防止することができる。
【００４２】
なお実施の形態３の規制部材は、雄側ハウジングに設置されたクリップと、雌側ハウジングに形成されている窪み部とにより構成されているが、雌側ハウジングにクリップを設置し、雄側ハウジングに窪み部を形成してもよい。また実施の形態３の規制部材は、雄コネクタと雌コネクタとが離間する方向への移動を規制する構造であれば図示例に限定されるものではない。例えば、雄側ハウジングの短手面側の側面の双方に、爪形状の係止部材を形成し、雌側ハウジングの短手面側の側面の双方に、この係止部材が係り止めされる窪み部を形成してもよい。規制部材の他の例としては、雄側ハウジングの長手面側の側面に突起を形成し、雌側ハウジングの長手面側の側面に、この突起が係り止めされる窪み部を形成してもよい。また実施の形態１から実施の形態３の空気調和機１００では天井埋込形の室内機２，２Ａを用いたが、実施の形態１から実施の形態３の空気調和機１００は天井埋込形以外の室内機、例えば天吊り形、天井カセット形または壁掛形の室内機にも適用可能である。また実施の形態１から実施の形態３の空気調和機１００では方形状のコネクタを用いたがコネクタの形状は円筒形状でもよい。また実施の形態１から実施の形態３の空気調和機１００では電気品箱２６に接続される３種類の配線の全てにコネクタを用いたが、３種類の配線の内、何れか１つの配線にコネクタを用いてもよく、このように構成した場合でも配線時間の短縮化を図ることが可能である。ただし実施の形態２の空気調和機１００では３種類の配線の全てにコネクタを用いることが望ましい。また実施の形態１から実施の形態３の空気調和機１００では、ドレンパン２４に、室内外配線３が導入される配線導入部２４ｄ１と、ワイヤードリモコン配線５および電源配線６が導入される配線導入部２４ｄ２とが形成されているが、室内外配線３、ワイヤードリモコン配線５および電源配線６を導入する配線導入部は図示例に限定されるものではない。例えば室内外配線３、ワイヤードリモコン配線５および電源配線６を一括して導入する１つの配線導入部をドレンパン２４に形成してもよい。
【００４３】
以上に説明したように実施の形態１から実施の形態３に係る空気調和機１００は、室内機２，２Ａと、室外機１と、ワイヤードリモコン４と、室内機２，２Ａと室外機１との間に接続される室内外配線３と、室内機２，２Ａとワイヤードリモコン４との間に接続されるワイヤードリモコン配線５と、室内機２，２Ａに設置される電気品箱２６と、電気品箱２６に設置され、室内外配線を接続する第１の端子台３３と、ワイヤードリモコン配線を接続する第２の端子台５３と、一端が第１の端子台３３に接続される第１の中継配線３４と、一端が第２端子台５３に接続される第２の中継配線５４と、第１の中継配線３４の他端と、室内外配線３とを接続する第１のコネクタ３０と、第２の中継配線５４の他端と、ワイヤードリモコン配線５とを接続する第２のコネクタ５０とを備える。実施の形態１から実施の形態３に係る空気調和機１００では、電気品箱２６内に接続される配線と電気品箱２６の端子台に接続された中継配線とがコネクタで着脱可能である。そのため、電気品箱２６を取外す場合、雄コネクタと雌コネクタの接続を解除するだけで配線を制御基板から取外すことができ、配線の取外しに伴う作業時間を短縮することができる。また実施の形態１から実施の形態３に係る空気調和機１００では、雄コネクタを雌コネクタに接続するだけで電気品箱２６の端子台に配線を接続することができるため、電気品箱２６に配線を接続する作業時間を短縮することができる。また実施の形態１から実施の形態３に係る空気調和機１００では、端子台に接続される中継配線が設置環境の影響を受けることなく固定長でよいため、容易に調達することができ、また大量購買が可能であることからコスト低減も可能である。
【００４４】
また実施の形態１から実施の形態３に係る空気調和機１００は、室内機２，２Ａの下方面に組み付けられるドレンパン２４を備え、電気品箱２６はドレンパン２４に設置され、第１のコネクタ５０および第２のコネクタ６０は電気品箱２６の内部に設置される。この構成によりドレンパン２４を備えた室内機２，２Ａにおいて、電気品箱２６から配線を取外す作業時間が短縮され、ドレンパン２４の取外しに伴う作業時間を短縮することができ、また電気品箱２６に配線を接続する作業時間が短縮され、ドレンパン２４の取付けに伴う作業時間を短縮することができる。
【００４５】
また実施の形態１から実施の形態３に係る空気調和機１００は、室内機２，２Ａの下方面に組み付けられるドレンパン２４を備え、ドレンパン２４に設置される電気品箱２６は、電気品箱２６の筐体２６ａの開口部を閉塞する蓋２６ｂを有し、第１のコネクタ５０および第２のコネクタ６０はドレンパン２４に形成された配線導入部２４ｄ２に設置される。この構成により、ドレンパン２４を備えた室内機２，２Ａにおいて、電気品箱２６から蓋２６ｂを取外さなくても配線に接続されるコネクタの接続を解除できるため、ドレンパン２４の取外しに伴う作業時間をより一層短縮することができ、また電気品箱２６に蓋２６ｂを取付ける作業が不要になるため、ドレンパン２４の取付けに伴う作業時間をより一層短縮することができる。
【００４６】
また実施の形態１から実施の形態３に係る第１のコネクタ５０および第２のコネクタ６０の各々は、雄コネクタと、雄コネクタと接続される雌コネクタと、雄コネクタに接続される配線と雌コネクタに接続される配線との誤接続防止構造とを有する。この構成により、室内外配線３およびワイヤードリモコン配線５のように極性のある配線を接続する場合でも異極性同士が誤接続されることを防止できる。
【００４７】
また実施の形態１から実施の形態３に係る第１のコネクタ５０および第２のコネクタ６０の各々は、雄コネクタと、雄コネクタと接続される雌コネクタと、雄コネクタと雌コネクタとが離間する方向への移動を規制する規制部材を有する。この構成により、室内機２，２Ａの振動によるコネクタの抜けを防止することが可能である。
【００４８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４９】
１  室外機、１ａ  外部パネル、２，２Ａ  室内機、３  室内外配線、４  ワイヤードリモコン、５  ワイヤードリモコン配線、６  電源配線、２１  筐体、２２  化粧パネル、２２ａ  コーナーパネル、２２ｂ  吸込口、２２ｃ  吹出口、２４  ドレンパン、２４ａ  吹出口、２４ｂ  吸込口、２４ｃ  挿入穴、２４ｄ１  配線導入部、２４ｄ２  配線導入部、２６  電気品箱、２６ａ  筐体、２６ａ１  鍔部、２６ｂ  蓋、２６ｃ  締結部材、２６ｄ  制御基板、２６ｅ  制御回路、２６ｆ  鍔部、２８  ユニオン継手部、３０  第１のコネクタ、３１  第１の雄コネクタ、３２  第１の雌コネクタ、３３  第１の端子台、３４  第１の中継配線、４０，４１  締結部材、５０，５０Ａ  第２のコネクタ、５１，５１Ａ  第２の雄コネクタ、５１ａ  雄側ハウジング、５１ａ１１  一端、５１ａ１２  他端、５１ａ３  突起、５１ａ４  起立部、５１ｂ  クリップ、５１ｂ１  押圧部、５１ｂ２  係合部、５１ｂ３  先端部、５２，５２Ａ  第２の雌コネクタ、５２ａ  雌側ハウジング、５２ａ１１  一端、５２ａ１２  他端、５２ａ３  窪み部、５２ｂ  中空部、５２ｃ  窪み部、５３  第２の端子台、５４  第２の中継配線、６０  第３のコネクタ、６１  第３の雄コネクタ、６２  第３の雌コネクタ、６３  第３の端子台、６４  第３の中継配線、１００  空気調和機。
【図１】
2016129079.tif 000003
【図２】
2016129079.tif 000004
【図３】
2016129079.tif 000005
【図４】
2016129079.tif 000006
【図５】
2016129079.tif 000007
【図６】
2016129079.tif 000008
【図７】
2016129079.tif 000009
【図８】
2016129079.tif 000010
【図９】
2016129079.tif 000011
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
室内機と、
室外機と、
ワイヤードリモコンと、
前記室内機と前記室外機との間に接続される室内外配線と、
前記室内機と前記ワイヤードリモコンとの間に接続されるワイヤードリモコン配線と、
前記室内機に設置される電気品箱と、
前記電気品箱に設置され、前記室内外配線を接続する第１の端子台と、
前記ワイヤードリモコン配線を接続する第２の端子台と、
一端が前記第１の端子台にネジ止めで接続される第１の中継配線と、
一端が前記第２の端子台にネジ止めで接続される第２の中継配線と、
前記第１の中継配線の他端と、前記室内外配線とを接続する第１のコネクタと、
前記第２の中継配線の他端と、前記ワイヤードリモコン配線とを接続する第２のコネクタと、
を備えることを特徴とする空気調和機。
【請求項２】
前記室内機の下方面に組み付けられるドレンパンを備え、
前記電気品箱は、前記ドレンパンに設置され、
前記第１のコネクタおよび前記第２のコネクタは、前記電気品箱の内部に設置されることを特徴とする請求項１に記載の空気調和機。
【請求項３】
前記室内機の下方面に組み付けられるドレンパンを備え、
前記ドレンパンに設置される前記電気品箱は、前記電気品箱の筐体の開口部を閉塞する蓋を有し、
前記第１のコネクタおよび前記第２のコネクタは、前記ドレンパンに形成された配線導入部に設置されることを特徴とする請求項１に記載の空気調和機。
【請求項４】
前記第１のコネクタおよび前記第２のコネクタの各々は、雄コネクタと、前記雄コネクタに接続される雌コネクタと、前記雄コネクタに接続される配線と前記雌コネクタに接続される配線との誤接続防止構造と、を有することを特徴とする請求項１から請求項３の何れか一項に記載の空気調和機。
【請求項５】
前記第１のコネクタおよび前記第２のコネクタの各々は、雄コネクタと、前記雄コネクタに接続される雌コネクタと、前記雄コネクタと前記雌コネクタとが離間する方向への移動を規制する規制部材を有することを特徴とする請求項１から請求項３の何れか一項に記載の空気調和機。
【手続補正２】
【補正対象書類名】明細書
【補正対象項目名】０００６
【補正方法】変更
【補正の内容】
【０００６】
上述した課題を解決し、目的を達成するために、本発明に係る空気調和機は、室内機と、室外機と、ワイヤードリモコンと、前記室内機と前記室外機との間に接続される室内外配線と、前記室内機と前記ワイヤードリモコンとの間に接続されるワイヤードリモコン配線と、前記室内機に設置される電気品箱と、前記電気品箱に設置され、前記室内外配線を接続する第１の端子台と、前記ワイヤードリモコン配線を接続する第２の端子台と、一端が前記第１の端子台にネジ止めで接続される第１の中継配線と、一端が前記第２の端子台にネジ止めで接続される第２の中継配線と、前記第１の中継配線の他端と、前記室内外配線とを接続する第１のコネクタと、前記第２の中継配線の他端と、前記ワイヤードリモコン配線とを接続する第２のコネクタとを備える。
【国際調査報告】
2016129079.tif 000012
2016129079.tif 000013
2016129079.tif 000014
2016129079.tif 000015